(57)【要約】      （修正有）【課題】生花を長期間保存するプリザーブドフラワー法で加工すると、萼の色と花弁の色が同一色になるため生花全体の色調が単調となり、また茎折れが発生し、生花の外観を損なう。【解決手段】生花の茎１をアルコール染料よりなる加工溶液に浸漬させ、萼８の着色が終了したら生花を加工溶液から取り出す。また、生花の茎から萼の上部までワイヤー３を挿通し、花の向き、角度などを自由に変えれるようにした。【選択図】図１
2013252682.tif 000002
【特許請求の範囲】
【請求項１】
生花の茎部を染料入り加工溶液に浸漬させ、生花の萼部を彩色した後、前記生花を前記加工溶液から取り出すことを特徴とする生花の加工方法。
【請求項２】
ワイヤーを挿通した生花の茎部を染料入り加工用液に浸漬させ、生花の萼部を彩色した後、前記生花を前記加工溶液から取り出すことを特徴とする生花の加工方法。
【請求項３】
所定の形状に成形した生花を請求項１又は２記載の加工方法で加工することを特徴とした生花の加工方法。
【請求項４】
請求項１乃至３のいずれか一項記載の加工方法により加工したことを特徴とする加工生花。
【発明の詳細な説明】
【技術分野】
【０００１】
この発明は、プリザーブドフラワーやドライフラワー等に適用することを目的とした生花の加工方法及び加工生花に関する。
【背景技術】
【０００２】
生花を長期間保存するための加工としては、プリザーブドフラワーと称する加工技術が知られている。この技術は、生花を脱水した後にグリセリン系の置換薬剤を作用させて処理した後、再乾燥させるものである。この処理により自然に近い外様の花形、花色を保ったまま長期間保存することができるので、装飾などに多用されている。従って、生花の雰囲気を保ったまま1年以上の保存も可能とされている。
【０００３】
然しながら、置換薬剤の作用によって、萼の色と花弁の色が同一色になるために生花全体の色調が単調になる問題点があった。
【０００４】
然るにこの発明は、萼に色彩を付与することにより、生花全体として自然花に近い外観となり、装飾効果を著しく向上させることに成功したのである。
【先行技術文献】
【特許文献】
【０００５】
【特許文献１】特開２００７−８４９４０号公報
【特許文献２】特開２００７−３２０９４５号公報
【特許文献３】特開２００９−１０７９７１号公報
【特許文献４】特開２００８−３１６１６号公報
【発明の概要】
【発明が解決しようとする課題】
【０００６】
従来知られている生花を加工する技術において、コーティング剤を塗布する技術（特許文献１）では、生花に外的付加をした外観を呈し、ワックスを浸み込ませる技術（特許文献４）では、加工物の外観を呈してしまうので、生花の外観を損なうおそれがあった。また、エタノール又はメタノール処理（特許文献２、３）の技術でも、生花全体が同一色となり、生花の外観を損なうおそれがあった。
【課題を解決するための手段】
【０００７】
この発明は、生花全体を脱色した後、萼部のみを緑色（その他実物と同色）に彩色することにより、生花そのものの外観となり、自然物の外観を保有したプリザーブドフラワーを得て、前記従来の問題点を解決したのである。
【０００８】
従来花弁などの彩色は塗布又は吹き付けに限られていたために、外観上加工生花となり、色彩の外的処理の場合によっては色が他物（例えば衣服）に付きやすいのみならず、生花との相違点が目立つ問題点があった。
【０００９】
この発明では、植物の特性による水分等の吸引力を利用して染料を吸引することにより内部から着色するので、生花の外部に接触しても染料が付着するおそれがなく、また、染料の吸入には人工的付加がなく、自動的に行われるので、染料の吸入に関し問題点はない。
【００１０】
実験の結果によれば、花の茎をアルコール染料よりなる加工溶液に挿入（例えば長さ２ｃｍ）した場合に、萼への吸入が終了した時に、花弁の下部へ若干吸入される程度であって、萼への吸入が早く行われる。そこで萼の着色が終了した状態で、前記加工溶液から茎を取り出せば目的を達成することができる。
【００１１】
従来、前記花弁と萼との染料の吸入速度の相違があることに気付かなかったので、染料の吸入による萼のみへ着色する技術は実施されていなかった。常識上萼のみへの染料の吸入着色は不可能とされていた（但し、スプレーすればできる）。
【００１２】
次に、茎から萼の上部まで直径０．１ｍｍ〜０．０１ｍｍのワイヤーを挿通する。前記ワイヤーを挿通することによって、従来見られた茎折れがなくなると共に、花の支持状態に変化を与えることができる。例えば、前記プリザーブドフラワーの場合、花の向き、角度などを自由に変えることができる。
【００１３】
前記における加工溶液は、アルコール類（例えばエチルアルコール又はメチルアルコール）３０％〜７０％にエチレングリコール７０％〜３０％を混合して調製する。加工溶液としてアルコール類のみを使用する場合もあるが、アルコール類にエチレングリコールを添加し、混合して加工溶液とした。前記におけるアルコールは花の仕上がり上エチルアルコールがより好ましいと認められた。
【００１４】
このように、アルコール又はアルコール染料液の吸入は自動的に行われるので、十分吸入された状態で取り出して花の加工を終了する。
【００１５】
前記処理については手動作業を前提として説明したが、自動化（例えば花弁容器の移動及びセット）すれば、労力を著しく節減することができる。
【発明の効果】
【００１６】
この発明によれば、萼を着色するので、外観上生花そのものとなり、装飾効力を著しく向上させることができる効果がある。
【００１７】
また、金属線を挿通すれば、強度が増強するとともに、花の傾度又は方向を容易に規制し、装飾上の形状変化（主として傾角）を容易かつ任意に選定し得るなどの諸効果がある。
【図面の簡単な説明】
【００１８】
【図１】（ａ）この発明の第一の実施例の拡大正面図、（ｂ）同じく処理の順序を示すブロック図。
【図２】同じく置換時の保持状態を示す一部を省略した正面図。
【発明を実施するための形態】
【００１９】
この発明は、茎付き生花の花弁、萼の水分をアルコール類で置換し、萼へ染料を浸透させて乾燥した花であって、水分がアルコール類になった他は生花と同一である。従って、装飾に使用した場合に生花と同一外観を呈し、従来知られている加工花の如く花弁の色素が他物に付着するおそれはない。
【００２０】
また、水がアルコール類に置換されているために経時的変化が少なく、永く（１年以上）同一外観を保ち、装飾効果を保持することができると共に、腐食するおそれもない。
【００２１】
また、茎から萼の上部までワイヤー（例えば直径０．１ｍｍ〜０．０１ｍｍ）を挿通することにより、茎を補強し、茎の折損がないのみならず、保形性（一定の方向に屈曲、湾曲その他の変形）を保持することができる。前記ワイヤーは萼全部に入れてもよいが、通常１〜２本で保形性を保つことができる。
【００２２】
前記において、萼の色は通常緑色を選定するが、任意の彩色ができるので花弁との関係で最も相応しい色を選定する。
【００２３】
この発明の生花を室内装飾に使用する場合には、室内の色調と生花の色彩を対応させるような彩色にすることが好ましく、予め数種の色彩を用意しておくことが好ましい。
【実施例１】
【００２４】
この発明の第一の実施例を図１に基づいて説明する。茎１付きのバラの花２の水分をアルコール置換すると共に、萼８を色素で緑色に着色した後、乾燥すれば製品となる。
【００２５】
前記において、バラの花２の茎部にワイヤー３を挿通すると茎の強度が増強すると共に、保形性を有し、茎に対する花の傾きを自由に選定、保持することができる。
【００２６】
また、アルコールに染料を混合してなる加工溶液中に花の茎部を浸漬して５時間〜１０時間静置して萼８が着色（例えば通常の若葉のような緑色）したならば、花を取り出し、常温で乾燥すれば、この発明の加工花が完成する。前記において乾燥は、常温通風下であって、加温などの必要はない。
【００２７】
前記における排気には、アルコールが混入するおそれがあるので、排気の清浄化（例えばアルコールの吸着フィルター付）が好ましい。
【００２８】
前記における着色処理は目視であるが、同一状体の処理物（例えば花）ならば、同一時間で処理されるので時間管理により処理できる。
【００２９】
本実施例における加工溶液はエチルアルコールのみとしたが、エチルアルコール３０％〜７０％とエチレングリコール７０％〜３０％の混合液とする場合もある。前記加工溶液をアルコール類のみにする場合と、アルコール類にエチレングリコールを添加する場合とあるが、加工すべき花の状態、種類により適宜選定する。
【実施例２】
【００３０】
この発明の第二の実施例を図２に基づいて説明する。花２の茎１を容器４の金網６に挿通して支持させ、容器４の金網６を加工溶液の容器５の液面７付近にセットし、茎１を加工溶液中へ挿入（例えば茎長３ｃｍ位）する。この状態で所定時間静置すれば、茎より吸入した色素により所定の色に萼８を着色することができる。
【００３１】
なお、茎の挿入時間が長くなると花弁も染まるので、萼のみ染まるように時間管理が必要である。挿入時間は、色素の性質、濃度、温度により異なるので、最初に試験して条件を設定する必要がある。特に、挿入時間が長くなると、萼のみならず、花弁の基部も彩色されるおそれがあるので、時間管理は正確にしなければならない。
【００３２】
前記において、生花の種類又は色素によってアルコールとの置換時間が異なるので、実験結果に基づき時間管理を正確にし、処理状態の均一化を図ることが好ましい。
【符号の説明】
【００３３】
１  茎
２  花
３  ワイヤー
８  萼
【図１】
2013252682.tif 000003
【図２】
2013252682.tif 000004